Podtech/llm-jp-corpus-v4-ja_patent huggingface dataset:
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
乳房インターフェースにおける使用のためのライナーであって、
乳房接触面を画成する前壁部と、前記乳房接触面に設けられた開口とを含み、前記乳房接触面は、使用時に、女性の乳房に当接する一方で、前記乳房の乳首は、前記開口を通り少なくとも部分的に突出する、前部セクションと、
前記前部セクションに接続され、後端開口を有する管状壁部を含む後部セクションと、
を含み、
前記前部セクション及び前記後部セクションは共に、前記乳房接触面における前記開口から前記管状壁部における前記後端開口まで延在する乳用通路を少なくとも部分的に画成し、
前記ライナーは、前記前部セクションの長手軸が実質的に水平に延在する使用姿勢に関連付けられる一方で、前記後部セクションの前記管状壁部は、前記乳用通路を部分的に境界付け、また、前記使用姿勢において、後方方向において見た場合に、前記長手軸に対して下方向に傾斜する下部内側表面部分を有し、前記後部セクションの前記管状壁部は、１つの対称軸を有するティアドロップ形状の横断面を有し、前記ティアドロップ形状の横断面の細い部分は、溝を画定し、前記溝の底部は、前記下部内側表面部分によって画成され、前記対称軸に沿って測定される前記ティアドロップ形状の横断面の前記細い部分の長さは、前記溝が後方向において深くなるように、後方向において増加する、ライナー。
【請求項２】
前記前部セクションの前記長手軸は、前記乳房接触面における前記開口の平面に実質的に垂直に延在する、請求項１に記載のライナー。
【請求項３】
前記下部内側表面部分は、前記後部セクションの前記管状壁部の実質的に全長に亘って延在する、請求項１又は２に記載のライナー。
【請求項４】
前記下部内側表面部分は、実質的に一定の傾斜角度で、前記前部セクションの前記長手軸に対して下方向に傾斜する、請求項１乃至３の何れか一項に記載のライナー。
【請求項５】
前記使用姿勢において、前記下部内側表面部分は、前記前部セクションの前記長手軸に対して１０〜４５度の範囲内の平均下方向傾斜角度を有する、請求項１乃至４の何れか一項に記載のライナー。
【請求項６】
前記ライナーの前記前部セクションは、前記ライナーの前部円周エッジと後部円周エッジの径方向位置間の径方向位置において、前記前壁部の背面に接続し、前記前壁部の前記背面から、後方方向に延在する環状基部壁部を含み、前記前壁部は、環状の逆流バリアを形成するように、前記環状基部壁部を越えて径方向内側に延在する、請求項１乃至５の何れか一項に記載のライナー。
【請求項７】
前記前部セクションと前記後部セクションとの間に、前記後部セクションが前記前部セクションに中間セクションを介して接続されるように配置され、後部のテーパする漏斗状壁部を含む、前記中間セクションを更に含む、請求項１乃至６の何れか一項に記載のライナー。
【請求項８】
搾乳器用の乳房インターフェースであって、
ライナーの少なくとも一部を受容するライナー支持フレーム内部空間を画成し、前部リングと、後部リングと、前記前部リング及び前記後部リングを、前記前部リング及び前記後部リングが軸方向において離間されているように、相互接続する少なくとも１つのアームと、を含む、ライナー支持フレームと、
請求項１乃至７の何れか一項に記載のライナーと、
を含み、
前記ライナーの前記前部セクションは、前記ライナー支持フレームの前記前部リングに係合する一方で、前記ライナーの前記後部セクションの前記管状壁部は、前記ライナー支持フレームの前記後部リングによって、嵌るように受容される、乳房インターフェース。
【請求項９】
前記ライナーの前記後部セクションの前記管状壁部の後端には、前記ライナー支持フレームの前記後部リングの内径よりも大きい外径を有し、また、前記乳房インターフェースの組み立てられた状態では、端部において、前記後部リングに当接する第１の環状フランジが設けられ、
前記後部リングは、前記ライナーの前記フランジが付いた後端の通過を容易とするように、互いに対して再配置可能である少なくとも２つの相補形の円周後部リング部分を含む分割後部リングである、請求項８に記載の乳房インターフェース。
【請求項１０】
請求項８又は９に記載の乳房インターフェースを含む搾乳器。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
筺体と、
前記筺体に配置された複数のポートであって、前記複数のポートは、互いに隣接する第１の組のポートと、互いに隣接する第２の組のポートと、を有する前記複数のポートと、
前記筺体内に配置され、第１のバルブ部材と第２のバルブ部材とが取り付けられるステムを有する可動バルブ素子と、
前記筺体に接続された第１のシール部であって、前記第１のシール部は、前記第１の組のポートの間で前記筺体に接続される前記第１のシール部と、
前記筺体に接続された第２のシール部であって、前記第２のシール部は、前記第２の組のポートの間で前記筺体に接続される前記第２のシール部と、
を有し、
前記第１のバルブ部材と前記第２のバルブ部材との間の前記可動バルブ素子の運動の方向において測定される第１の距離が、前記第１のシール部と前記第２のシール部との間の前記可動バルブ素子の運動の方向において測定される第２の距離と異なり、
前記第１のシール部、前記第２のシール部、前記第１のバルブ部材、及び、前記第２のバルブ部材の少なくとも１つが、前記第１の距離と前記第２の距離との間の差を小さくするとともに、前記第１の組のポートを互いに密封すると同時に、前記第２の組のポートを互いに密封するために、（ｉ）前記第１のシール部が前記第１のバルブ部材と密封された構成となることを可能にすると同時に、（ｉｉ）前記第２のシール部が前記第２のバルブ部材と密封された構成となることを可能にするように変形可能である、バルブ。
【請求項２】
前記バルブは、前記第１及び第２のシール部が前記密封構成にある第１の位置と、前記第１及び第２のシール部が、前記第１の組のポートが前記第１のバルブ部材で互いから密封されておらず、且つ、前記第２の組のポートが前記第２のバルブ部材で互いから密封されていない非密封構成にある第２の位置と、を有する、請求項１記載のバルブ。
【請求項３】
前記複数のポートが、第１のポートと、第２のポートと、第３のポートと、第４のポートと、第５のポートと、を有し、前記第１の組のポートが、互いに隣接する前記第１のポートと前記第２のポートとを有し、前記第２の組のポートが、互いに隣接する前記第３のポートと前記第４のポートとを有し、第３の組のポートが、互いに隣接する前記第２のポートと前記第３のポートとを有し、第４の組のポートが、互いに隣接する前記第４のポートと前記第５のポートとを有し、
前記バルブが、
第３のバルブ部材と、
前記第３の組のポートの間で前記筺体に接続される第３のシール部と、
前記第４の組のポートの間で前記筺体に接続される第４のシール部と、
を更に有し、
前記第１及び第２のシール部は、第１の組のシール部を形成し、前記第３及び第４のシール部は、第２の組のシール部を形成し、前記第１及び第２の組のシール部は、前記第３のシール部が、前記バルブ素子の移動方向において、前記第１のシール部と前記第２のシール部との間に配置されるようなオフセットであり、
前記第３の組のポートを互いから密封すると同時に、前記第４の組のポートを互いから密封するために、前記バルブの前記第２の位置において、前記第３のシール部は、前記第２のバルブ部材と密封された構成にあり、前記第４のシール部は、前記第３のバルブ部材と密封された構成にある、請求項２記載のバルブ。
【請求項４】
前記第１のポートが、大気に接続されるように構成され、前記第２のポートが、第１の流体圧力を受けるように構成され、前記第３のポートが、前記バルブのための出力を供給するように構成され、前記第４のポートが、第２の流体圧力を受けるように構成され、前記第５のポートが、前記大気に接続されるように構成され、
前記可動バルブ素子が前記第１の位置にある場合、前記第２のポートが、前記第３のポートに対して流体連結され、
前記可動バルブ素子が前記第２の位置にある場合、前記第４のポートが、前記第３のポートに対して流体連結される、請求項３記載のバルブ。
【請求項５】
前記第１の流体圧力が、正圧であり、前記第２の流体圧力が、負圧である、請求項４記載のバルブ。
【請求項６】
前記可動バルブ素子が前記第１の位置にある場合、前記第４のポートが、前記第５のポートに流体連結され、前記可動バルブ素子が前記第２の位置にある場合、前記第２のポートが、前記第１のポートに流体連結される、請求項５記載のバルブ。
【請求項７】
前記複数のポートは、第１のポート、第２のポート、第３のポート、及び、第４のポートを有し、前記第１の組のポートは、前記第１及び第２のポートを有し、前記第２の組のポートは、前記第３及び第４のポートを有し、前記第３の組のポートは、前記第４及び第１のポートを有し、前記第４の組のポートは、前記第２及び第３のポートを有し、
前記バルブが、
前記第３の組のポートの間で前記筐体に接続される第３のシール部と、
前記第４の組のポートの間で前記筐体に接続される第４のシール部と、
を更に有し、
前記第３の組のポートを互いから密封すると同時に、前記第４の組のポートを互いから密封するために、前記バルブの前記第２の位置において、前記第３のシール部が、前記第２のバルブ部材と密封された構成であり、前記第４のシール部が、前記第１のバルブ部材と密封された構成である、請求項２記載のバルブ。
【請求項８】
前記第１のポートが、大気に接続されるように構成され、前記第２のポートは、第１の流体圧力を受け、前記第４のポートは、第２の流体圧力を受け、前記第３のポートは、前記バルブの出力を供給し、
前記バルブ素子が前記第１の位置にある場合、前記第２のポートは、前記第３のポートと流体的に結合され、
前記バルブ素子が前記第２の位置にある場合、前記第４のポートは、前記第３のポートと流体的に結合される、請求項７記載のバルブ。
【請求項９】
前記第１の流体圧力は、正圧であり、前記第２の流体圧力は、負圧である、請求項８記載のバルブ。
【請求項１０】
前記バルブ素子が前記第１の位置にある場合、前記第４のポートは、前記第１のポートと流体連結され、
前記バルブ素子が前記第２の位置にある場合、前記第２のポートは、前記第１のポートと流体連結される、請求項９記載のバルブ。
【請求項１１】
前記可動バルブ素子が、回転可能である、請求項１，２，７乃至１０のいずれか１項に記載のバルブ。
【請求項１２】
前記可動バルブ素子は、線形的に転換可能である、請求項１乃至６のいずれか１項に記載のバルブ。
【請求項１３】
前記シール部の幾つか又は全てが、ベローズ部材を有し、前記ベローズ部材は、１又は複数の穴を有し、前記ベローズ部材が流体連結が阻害される収縮状態にある場合に、前記１又は複数の穴が阻害され、前記ベローズ部材が流体連結が許容される膨張状態にある場合に、前記１又は複数の穴が阻害されない、請求項１乃至６のいずれか１項に記載のバルブ。
【請求項１４】
前記シール部の幾つか又は全てが、伸長可能な材料が伸長されるにつれてサイズが増す１又は複数の穴を持つ前記伸長可能な材料を有し、これにより、前記伸長可能な材料は、伸長されていない場合に自身を通じた流体連結を阻害する一方、伸長されている場合に自身を通じた流体連結を許容する、請求項１乃至６のいずれか１項に記載のバルブ。
【請求項１５】
請求項１乃至１４のいずれか１項に記載のバルブを有する、咳補助装置。
【誤訳訂正書】
【提出日】平成29年10月11日(2017.10.11)
【誤訳訂正１】
【訂正対象書類名】特許請求の範囲
【訂正対象項目名】全文
【訂正方法】変更
【訂正の内容】
【特許請求の範囲】
【請求項１】
基板の表面から脂肪、油又はそのような疎水性の成分を除去するための脱脂混合物であり、その際、
−該脱脂混合物が、５０質量％超の溶媒不含のケイ酸塩混合物を主成分として含有し、
−該ケイ酸塩混合物が、粒状のフィロケイ酸塩及び粒状のテクトケイ酸塩を含有し、その際、該ケイ酸塩混合物が、４０〜８０質量％のフィロケイ酸塩及び２０〜６０質量％のテクトケイ酸塩を有し、
−該ケイ酸塩混合物中に含有される粒子の９０質量％までが６０μｍ未満の粒度を有し、その際、さらに、
−該粒状のフィロケイ酸塩の最大粒度が、該テクトケイ酸塩の最大粒度よりも小さく、そして、その際、
−前記フィロケイ酸塩が、２５μｍ〜６５μｍの最大粒度を有し、かつ、前記テクトケイ酸塩が、５５μｍ〜８５μｍの最大粒度を有する、
上記の脱脂混合物。
【請求項２】
前記脱脂混合物が、少なくとも９０質量％のケイ酸塩混合物、及び、吸着剤を含有することを特徴とする、請求項１に記載の脱脂混合物。
【請求項３】
前記ケイ酸塩混合物中に含有されるテクトケイ酸塩粒子の半分超が、２０μｍ超の径を有することを特徴とする、請求項１又は２に記載の脱脂混合物。
【請求項４】
前記ケイ酸塩混合物のフィロケイ酸塩の含有量が、該ケイ酸塩混合物のテクトケイ酸塩の含有量よりも高い、請求項１〜３のいずれか一つに記載の脱脂混合物。
【請求項５】
前記ケイ酸塩混合物が、３０〜５０質量％のテクトケイ酸塩を含有し、そしてその際、該ケイ酸塩混合物が、５０〜７０質量％のフィロケイ酸塩を含有する、請求項１〜４のいずれか一つに記載の脱脂混合物。
【請求項６】
前記テクトケイ酸塩及び／又はフィロケイ酸塩が、それぞれアルミノケイ酸塩である、請求項１〜５のいずれか一つに記載の脱脂混合物。
【請求項７】
前記フィロケイ酸塩が、三層の膨張可能なフィロケイ酸塩であり、そしてその際、シリケート骨格として、ゼオライトの群から選択される少なくとも一種の成分が該ケイ酸塩混合物中に含有される、請求項１〜６のいずれか一つに記載の脱脂混合物。
【請求項８】
前記フィロケイ酸塩が、“ベントナイト、カオリナイト、パリゴルスカイト、イライト、雲母、緑泥、パイロフィライト、イモゴライト、モンモリロナイト”の群から選択される少なくとも一種のフィロケイ酸塩である、請求項１〜７のいずれか一つに記載の脱脂混合物。
【請求項９】
前記フィロケイ酸塩がカルシウム−ベントナイトである、請求項１〜８のいずれか一つに記載の脱脂混合物。
【請求項１０】
前記ベントナイトが炭酸ナトリウムによって活性化されている、請求項１〜９のいずれか一つに記載の脱脂混合物。
【請求項１１】
脂肪、油又はそのような疎水性の成分を基板の表面から除去するためのクリーニングスティックであって、その際、該クリーニングスティック（１）が、把持部分（２）及び請求項１〜１０のいずれか一つに記載の脱脂混合物（５）を含有するアプリケーションデバイスを有する、上記のクリーニングスティック。
【請求項１２】
脂肪、油又はそのような疎水性の成分を基板の表面から除去するためのクリーニングクロスであって、その際、該クリーニングクロス（７）が、繊維材料からなる少なくとも一つのクロス層（８、９）を有し、そして、その際、該クロス層（８、９）が、請求項１〜１０のいずれか一つに記載の脱脂混合物（１０）を含有する、上記のクリーニングクロス。
【請求項１３】
脂肪、油又はそのような疎水性の成分を基板の表面から除去するための中空糸であって、その際、該中空糸（１４）の空洞部（１５）が、請求項１〜１０のいずれか一つに記載の脱脂混合物によって少なくとも部分的に充填され、及び／又は、その際、該中空糸（１４）の外側表面（１７）及び／又は内側表面（１８）が、請求項１〜１０のいずれか一つに記載の脱脂混合物によって少なくとも部分的にコーティングされている、上記の中空糸。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
血管閉塞を処置する埋め込み型装置であって、
最小直径と最大直径とからなる円錐台形の形状を有し、第１の通路内に少なくとも部分的に滞留するように構成されている、第１の端部分と、
前記最大直径よりも小さい第２の端径を有する第２の端部分であって、実質的に円筒形であって、第２の通路内に少なくとも部分的に滞留するように構成されており、前記第１の通路及び前記第２の通路のうちの一方が前記血管閉塞を含む、第２の端部分と、
前記第１の端部分と前記第２の端部分との間の中間部分であって、前記第１の端部分の最小直径と前記第２の端部分の第２の端径との間でテーパーが付いており、前記第１の通路と前記第２の通路との間の通路内に少なくとも部分的に滞留するように構成されている、中間部分と、
少なくとも前記中間部分に結合されたグラフト材であって、該装置の側壁を通る灌流を阻止するように構成されている、グラフト材と、
を備える、装置。
【請求項２】
前記第１の端部分、前記第２の端部分及び前記中間部分のうちの少なくとも一つは、形状記憶材料を含む、請求項１に記載の装置。
【請求項３】
前記第１の端部分及び前記第２の端部分のうちの少なくとも一つは、ニチノールを含む、請求項１又は２に記載の装置。
【請求項４】
前記中間部分はニチノールを含む、請求項１〜３のいずれか１項に記載の装置。
【請求項５】
前記第１の端部分はカットストラットを含み、前記第２の端部分はカットストラットを含む、請求項１〜４のいずれか１項に記載の装置。
【請求項６】
前記グラフト材の少なくとも一部は前記中間部分の外側にあるか、前記グラフト材の少なくとも一部は前記中間部分の内側にあるか、又は、前記グラフト材の少なくとも一部は前記中間部分内に埋め込まれる、請求項１〜５のいずれか１項に記載の装置。
【請求項７】
前記第１の端部分の最大直径は４ｍｍ〜１０ｍｍである、請求項１〜６のいずれか１項に記載の装置。
【請求項８】
前記第２の端部分の第２の端径は２ｍｍ〜８ｍｍである、請求項１〜７のいずれか１項に記載の装置。
【請求項９】
前記第１の端部分は、前記第２の端部分より長い、請求項１〜８のいずれか１項に記載の装置。
【請求項１０】
前記第１の端部分の長さは、３０ｍｍ〜５０ｍｍである、請求項１〜９のいずれか１項に記載の装置。
【請求項１１】
前記第２の端部分の長さは、１５ｍｍ〜２５ｍｍである、請求項１〜１０のいずれか１項に記載の装置。
【請求項１２】
構造構成部材と、一の構造構成部材と他の構造構成部材とを連結する連結ストラットとをさらに備える、請求項１〜１１のいずれか１項に記載の装置。
【請求項１３】
前記構造構成部材の各々は、前記構造構成部材を巻回する個々のストラットを含む、請求項１２に記載の装置。
【請求項１４】
前記個々のストラットの長さは、２５ｍｍ〜１００ｍｍである、請求項１３に記載の装置。
【請求項１５】
前記連結ストラットの厚さは、０．０５ｍｍ〜０．５ｍｍである、請求項１２〜１４のいずれか１項に記載の装置。
【請求項１６】
前記第１の端部分は、０．０２〜０．０３°のテーパー角度を有する、請求項１〜１５のいずれか１項に記載の装置。
【請求項１７】
前記第１の端部分及び前記第２の端部分の少なくとも１つは、リングを含む、請求項１〜１６のいずれか１項に記載の装置。
【請求項１８】
前記リングの周方向幅は、０．２５ｍｍ〜１ｍｍである、請求項１７に記載の装置。
【請求項１９】
前記リングの長手方向長さは、０．２５ｍｍ〜１ｍｍである、請求項１７又は１８に記載の装置。
【手続補正書】
【提出日】平成29年2月8日(2017.2.8)
【手続補正１】
【補正対象書類名】明細書
【補正対象項目名】０００７
【補正方法】変更
【補正の内容】
【０００７】
長期の開存性と機能的弁を有し血栓形成を防ぐ小児患者のための右室流出路（Ｒｉｇｈｔ  Ｖｅｎｔｒｉｃｌａｒ  Ｏｕｔｆｌｏｗ  Ｔｒａｃｔ：ＲＶＯＴ）再建用導管は、今のところ存在しないと思われる。抗血栓性材料と最適な弁設計で良好な初期成果を達成できる。しかし、若年層の小児患者はすぐに埋め込まれた導管が適しないように大きくなり、再手術や置換が必要となる場合がある。患者の成長に対応するため組織工学に基づく導
管または弁付き導管がこれまで提案されているが、これらの解決策は多大な時間と費用を要し、長期的な機能性は殆ど実証されていない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，４４３，４９９号明細書
（特許文献２）  米国特許出願公開第２００５／０２４０２６２号明細書
（特許文献３）  米国特許出願公開第２０１０／００２３１２０号明細書
（特許文献４）  国際公開第２０１３／０１９７５６号
（特許文献５）  米国特許出願公開第２００５／０１３７６８２号明細書
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
患者の自然弁内に埋め込むための人工弁であって、前記人工弁は、
第１の端部と、前記第１の端部と反対の第２の端部と、前記第２の端部の付近の心房領域と、前記第１の端部の付近の心室領域と、前部分と、後部分とを有する自己拡張式フレームを備え、
前記自己拡張式フレームは、拡張構成および折り畳み構成を有し、前記拡張構成は、処置部位において組織に係合するように適合され、前記折り畳み構成は、前記処置部位に送達されるように適合され、拡張可能なフレームは、
前記心房領域中に配置される自己拡張式心房スカートと、
前記心室領域中に配置される自己拡張式心室スカートと、
前記心房領域と前記心室領域との間に配置される自己拡張式環状領域と、
前記心室領域中で前記自己拡張式フレームの前記前部分上に配置される第１の自己拡張式前タブと、
前記心室領域に結合される自己拡張式足部であって、前記足部は、前記後部分内に配置され、前記自己拡張式フレームから半径方向外向きに延在し、前記組織に係合するための外側表面を有し、それによって、前記人工弁の係留を促進し、前記人工弁の枢動を最小限化または防止する、足部と
を備える、人工弁。
【請求項２】
前記心房スカートの自己拡張後に、前記心房スカートは、前記自己拡張式フレームの前記第２の端部に隣接するフランジ付き領域を形成する、請求項１に記載の人工弁。
【請求項３】
前記心房スカートの前部分に結合される整合要素をさらに備え、前記整合要素は、患者の心臓の大動脈根と整合させられるように適合され、かつ前記患者の僧帽弁の前尖の２つの線維性三角の間に配置されるように適合される、請求項１に記載の人工弁。
【請求項４】
前記心室スカートの少なくとも一部分は、組織または合成材料で被覆される、請求項１に記載の人工弁。
【請求項５】
枢動は、前記患者の心臓の左心房に向かう方向に最小限化または防止される、請求項１に記載の人工弁。
【請求項６】
前記足部は、合成材料または組織で被覆される、請求項１に記載の人工弁。
【請求項７】
前記足部は、前記自己拡張式フレームから半径方向外向きに延在する楔形状要素を備える、請求項１に記載の人工弁。
【請求項８】
前記足部は、中心の細長い要素と、カバーとを備え、前記カバーは、前記中心の細長い要素を覆って配置され、前記カバーは、その両側が支柱に結合される、請求項１に記載の人工弁。
【請求項９】
前記足部は、前記後部分上に前庭を形成する、請求項１に記載の人工弁。
【請求項１０】
前記足部は、前記足部を組織に係留するために、返し、テクスチャ加工、または他の表面特徴を備える、請求項１に記載の人工弁。
【請求項１１】
複数の人工弁尖をさらに備え、前記弁尖のそれぞれは、第１の端部および自由端を有し、前記第１の端部は、前記自己拡張式フレームと結合され、前記自由端は、前記第１の端部の反対側にあり、前記人工弁尖は、前記人工弁尖を通り過ぎる順行性血流を可能にするように、前記人工弁尖の前記自由端が相互から離れて配置される開放構成と、前記人工弁尖の前記自由端が相互に係合し、前記人工弁尖を通り過ぎる逆行性血流を実質的に防止する閉鎖構成とを有する、請求項１に記載の人工弁。
【請求項１２】
前記人工弁は、治療剤を運搬し、前記治療剤は、前記人工弁から溶出するように適合される、請求項１に記載の人工弁。
【請求項１３】
前記自己拡張式フレームの後部分上に配置される後心室係留タブをさらに備え、前記後心室係留タブは、前記後心室係留タブが前記患者の心臓の後尖と心室壁との間に固定されるように、前記患者の僧帽弁の前記後尖を覆って係留されるように適合される、請求項１に記載の人工弁。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
複数の略水平のパイプ支持レベルを有し、かつモジュール式アウトリガー側方足場の迅速に利用可能であり取外し可能である重力取付けのために、選択的に段付けされた支持レベルに無関係の側方連結性アクセスを具備する、パイプ支持システムであって、
フレーム構造における複数の略水平パイプ支持レベルを画定する梁の垂直方向に間隔を置いて様々な地面の上の共通高さ層に配置された複数の水平に延びる梁によって相互連結された複数の細長い直立した支柱により形成された開口複数レベルパイプ支持フレーム構造であって、略等間隔に配置された側部支柱の長手方向分布を持つ細長い側面を有するフレーム構造と、
各前記側部支柱に対し、支持レベルに関係なく垂直方向に段付けされた複数の位置で支柱に選択的に固定され、かつ前記側部支柱の全体に対して、前記フレーム構造の前記細長い側面に沿って共通高さに列状に編成された、複数の外向き側方にアクセス可能な重力キャッチ構造と、
対向端部と、隣接する側部支柱間に存在する略均等な間隔にモジュール的に関連付けられる前記対向端部間の長さとを有する、少なくとも１つの細長いモジュール式アウトリガー足場ユニットと、
前記少なくとも１つの足場ユニットの対向端部に隣接して固定される１対の重力フック構造であって、キャッチ構造の前記共通高さの列の１つに存在するペアツーペアの支柱隣接重力キャッチ構造として前記対向端部の各々に、解放自在、迅速かつ選択的に接続可能な重力フック構造と、
を含むシステム。
【請求項２】
各前記重力フック構造と連動する、下向きに延びる細長い角ブレースであって、安定化側部支柱係合担持足を担持する下端を有する角ブレースをさらに含む、請求項１に記載のシステム。
【請求項３】
前記少なくとも１つのモジュール式アウトリガー足場ユニットに加えて、少なくとも１つの他の同様のモジュール式アウトリガー足場ユニットを含み、それは、これら２つのユニット間の中間物として共有のために適切に構成された単一の重力フック構造を接続共有することを介して、少なくとも１つのユニットと選択的に内部関連付け可能であり、こうして、長さが延長されたモジュール式アウトリガー足場ユニット組立体を形成し、この足場ユニット組立体は、３つの重力フック構造に関連付けられ、かつこれら３つの重力フック構造全部を介して集合的に、前記共通高さのキャッチ構造の列の１つに存在する３つの連続的に１列に配置されかつ利用可能な重力キャッチ構造に、解放自在にフレーム取付け可能である、請求項１に記載のシステム。
【請求項４】
モジュール式アウトリガー足場ユニットの対向端部の各重力フック構造が、開口した下向きＵ字形重力フックを下端に含む平板構造を含む、請求項１に記載のシステム。
【請求項５】
各重力フック構造が、重力フックの上に与えられた複数の貫通穴を有し、これらの貫通穴が、支柱のうちの一つの上のキャッチ構造中に与えられた対応する貫通穴と整合する、請求項４に記載のシステム。
【請求項６】
フレーム構造のパイプ支持レベルのうちの一つの上に支持されたパイプをさらに含む、請求項１に記載のシステム。
【請求項７】
各角ブレースが、下向きに延びる脚によって支持されている、請求項２に記載のシステム。
【請求項８】
各担持足が、フレーム中の関連する支柱の側面と圧縮係合するように構成されている、請求項２に記載のシステム。
【請求項９】
前記共通高さの列が、フレーム構造の梁によって画定されるパイプ支持レベルに対して選択的に垂直方向に不均等に段付けされている、請求項１に記載のシステム。
【請求項１０】
モジュール式足場ユニットが、Ｕ字形のサブフレームを含む、請求項１に記載のシステム。
【請求項１１】
モジュール式足場ユニットが、三つの側上にガードレール構造を有する、請求項１に記載のシステム。
【請求項１２】
各重力キャッチ構造が、ブラケットを形成する一対の山形鋼部材を含む、請求項１に記載のシステム。
【請求項１３】
各ブラケットが、モジュール式アウトリガー足場ユニットと関連する平板状重力フック構造を受容するために略平板状の直立した空間を画定する正対し間隔を置いて配置された平行な山形鋼部分を有する、請求項１２に記載のシステム。
【請求項１４】
直立した空間が、重力キャッチピンによって架橋されている、請求項１３に記載のシステム。
【請求項１５】
フレーム構造中の支柱及び梁が、全モーメント節点連結によって相互接続されている、請求項１に記載のシステム。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
２つの乳房を有する着用者により着用されるように構成された衣類において、
前記衣類が前記着用者によって着用された時に各支持構造が前記着用者の乳房の中心と最下部との間のある位置に対応するように筐体内に位置付けられる２つの支持構造の集合であって、各支持構造が、前記衣類が前記着用者によって着用された時に前記着用者のそれぞれの乳房のボリュームの一部を位置変更し、前記着用者のそれぞれの乳房の重さの一部を支持するように構成された支持構造の集合と、
前記支持構造の集合に連結された前記筐体であって、前記支持構造の集合を格納し、前記着用者の胸部の周囲に巻き付けられ、それによって前記着用者が前記衣類を着用することができるように構成された前記筐体と、
を含む衣類。
【請求項２】
各支持構造が、前記衣類が前記着用者によって着用された時に前記着用者の乳房の前記重さの前記一部を前記着用者の胴体に再分散させるように構成される、請求項１に記載の衣類。
【請求項３】
各支持構造の一部が、前記衣類が前記着用者によって着用された時に前記着用者の胴体の平面から実質的に直交方向に延びるように構成される、請求項１に記載の衣類。
【請求項４】
各柔軟構造が前記２つの支持構造の集合の前記支持構造の一方と一致するように前記筐体内に位置付けられる柔軟構造の集合をさらに含む、請求項１に記載の衣類。
【請求項５】
各柔軟構造が前記２つの支持構造の集合の前記支持構造の一方と一致するように前記筐体内に位置付けられる柔軟構造の集合をさらに含み、前記各柔軟構造が、前記着用者の胴体のうち、前記衣類が前記着用者によって着用された時に前記着用者の乳房の下方に位置する部分と一致するように前記筐体内に位置付けられる下側延長部を有する、請求項１に記載の衣類。
【請求項６】
各柔軟構造が前記２つの支持構造の集合の前記支持構造の一方と一致するように前記筐体内に位置付けられる柔軟構造の集合をさらに含み、前記各柔軟構造が、前記着用者の胴体のうち、前記衣類が前記着用者によって着用された時に前記着用者の乳房の下方に位置する部分と一致するように前記筐体内に位置付けられる下側延長部を有し、前記下側延長部の幅が、前記支持構造、前記柔軟構造、およびそれらの組み合わせのうちの少なくとも１つにより支持される前記重さの前記部分に比例する、請求項１に記載の衣類。
【請求項７】
前記支持構造の各々が１つまたは複数の孔をさらに含む、請求項１に記載の衣類。
【請求項８】
各支持構造に連結され、前記筐体内に位置付けられる柔軟材料の層をさらに含み、前記柔軟材料の層が、前記着用者により着用された時に前記着用者の乳房の形状に適合し、前記着用者の前記重さの一部を支持するように構成される、請求項１に記載の衣類。
【請求項９】
前記支持構造が、
帯状部であって、内側延長部と外側延長部との間に延び、これらに連結され、前記衣類が前記着用者によって着用された時に前記着用者の乳房の中心と最下部との間のある位置に対応し、前記着用者の正中線に実質的に垂直な方向に延びるように構成された帯状部と、
前記内側延長部であって、前記着用者によって着用された時に前記着用者の正中線に、またはその付近に位置付けられ、前記帯状部の上、前記帯上部の下、前記帯状部の上下のうちの少なくとも１つに、前記着用者の正中線に実質的に平行で縦方向に延びる前記内側延長部と、
前記着用者によって着用された時に前記帯状部の上、前記帯状部の下、前記帯状部の上下のうちの少なくとも１つに、前記着用者の側部に実質的に平行で縦方向に延びる前記外側延長部と、
をさらに含む、請求項１に記載の衣類。
【請求項１０】
前記支持構造の各々が、
外側延長部であって、前記衣類が前記着用者によって着用された時に前記着用者の胴体の側部に対応するように構成された前記外側延長部の一部
をさらに含む、請求項１に記載の衣類。
【請求項１１】
前記外側延長部の前記一部は、前記衣類が前記着用者によって着用された時に前記着用者の前記胴体の前記側部および背部の一部に対応するように構成された、
請求項１０に記載の衣類。
【請求項１２】
前記支持構造のそれぞれは、前記衣類が前記着用者によって着用された時に前記着用者の胴体の側部の一部の周囲に巻き付けられるような形状とされている、
請求項１に記載の衣類。
【請求項１３】
前記支持構造のそれぞれは、前記衣類が前記着用者によって着用された時に前記着用者の前記胴体の前記側部および背部の一部の周囲に巻き付けられるような形状とされている、
請求項１２に記載の衣類。
【請求項１４】
前記支持構造は、
内側延長部であって、前記衣類が前記着用者によって着用された時に前記着用者の垂直な正中線の近くに位置付けられている前記内側延長部
をさらに含む、請求項１に記載の衣類。
【請求項１５】
各柔軟構造が前記２つの支持構造の集合の前記支持構造の一方と一致するように前記筐体内に位置付けられる２つの柔軟構造の集合をさらに含み、
前記柔軟構造は、複数の孔を含む、
請求項１に記載の衣類。
【手続補正書】
【提出日】平成29年2月3日(2017.2.3)
【手続補正１】
【補正対象書類名】特許請求の範囲
【補正対象項目名】請求項１２
【補正方法】変更
【補正の内容】
【請求項１２】
成分（Ａ）、（Ｂ）及び（Ｃ）、並びに、任意のさらなる成分が水の存在下で混合される請求項６から１１のいずれか一項に記載の洗剤組成物の製造プロセス。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2016508505.tif 000001
式中、
Ｚは、基
【化２】
2016508505.tif 000002
を表し、式中
Ｘは、ＣＨまたはＮであり、
Ｙは、ＣＨまたはＮであり、
Ｒａ、Ｒｃ、Ｒ１は、それぞれ独立してＨ、Ｈａｌ、またはＡ１を表し、
Ｒｂは、Ｈまたはアルキルであり、
Ａ１は、１〜１２個のＣ原子を有する分枝状もしくは直鎖状アルキルであり、ここで１または２以上、例えば１〜７個などの水素原子は、Ｈａｌ、ＯＲｂ、ＣＯＯＲｂ、ＣＮまたはＮ（Ｒｂ）２により置き換えられていてもよく、ここで１または２以上の、好ましくは１から５のＣＨ２基はＯ、ＣＯ、ＮＲｂまたはＳ、ＳＯ、ＳＯ２、１，２−、１，３−もしくは１，４−フェニレン、−ＣＨ＝ＣＨ−または−Ｃ≡Ｃ−により置き換えられていてもよく、
および
Ｈａｌは、Ｆ、Ｃｌ、Ｂｒ、Ｉを表す、
で表される化合物、またはその薬学的に許容な誘導体、溶媒和物、塩または立体異性体、または全ての比率でのそれらの混合物。
【請求項２】
Ｒａが、Ｈａｌ、ＯＲｄまたはアルキルであり、ここでＲｄがＨ、アルキルまたはＣＯＨまたはＣＯアルキルである請求項１に記載の式（Ｉ）で表される化合物。
【請求項３】
Ｒ１が、Ｈ、アルキル、Ｈａｌ、Ｏアルキル、ＯＲｄ、または（ＣＨ２）ｎＣＯＮＨＲｂもしくは（ＣＨ２）ｎＣＯＯＲｂを表し、ここでｎは、０、１、２、３、４、５、または６であり、およびＲｂは、上記で定義した通りであり、ここでＲｄが、Ｈ、アルキルまたはＣＯＲｂである、請求項１または２に記載の式（Ｉ）で表される化合物。
【請求項４】
Ｚが、ピリジニルまたはピリミジニルである請求項１〜３のいずれか一項に記載の式（Ｉ）で表される化合物。
【請求項５】
以下の群から選択される、式（Ｉ）で表される化合物：
【化３】
2016508505.tif 000003
【化４】
2016508505.tif 000004
【化５】
2016508505.tif 000005
【化６】
2016508505.tif 000006
【化７】
2016508505.tif 000007
またはその薬学的に使用可能な誘導体、溶媒和物、塩または立体異性体、または全ての比率でのそれらの混合物。
【請求項６】
医薬として使用するための、請求項１〜５のいずれか一項に記載の式（Ｉ）で表される化合物、またはその薬学的に許容な誘導体、溶媒和物、互変異生体、塩、水和物または立体異性体、または全ての比率でのそれらの混合物。
【請求項７】
炎症性疾患、自己免疫疾患、癌、または多発性硬化症および関連疾患の、処置または予防における使用のための、請求項６に記載の化合物。
【請求項８】
自己免疫疾患が以下からなる群から選択される、請求項７に記載の化合物：喘息、関節リウマチ、急性散在性脳脊髄炎（ＡＤＥＭ）、アジソン病、円形脱毛症、強直性脊椎炎、抗リン脂質抗体症候群（ＡＰＳ）、自己免疫性溶血性貧血、自己免疫性肝炎、自己免疫性内耳疾患、水疱性類天疱瘡、ベーチェット病、セリアック病、抗トランスグルタミナーゼ、シャーガス病、慢性閉塞性肺疾患、クローン病、皮膚筋炎、１型糖尿病、子宮内膜症、グッドパスチャー症候群、グレーブス病、ギラン・バレー症候群（ＧＢＳ）、橋本病、汗腺膿瘍、川崎病、ＩｇＡ腎症、特発性血小板減少性紫斑病、間質性膀胱炎、エリテマトーデス、混合性結合組織病、限局性強皮症、多発性硬化症（ＭＳ）、重症筋無力症、ナルコレプシー、神経ミオトニー、尋常性天疱瘡、悪性貧血、乾癬、乾癬性関節炎、多発性筋炎、原発性胆汁性肝硬変、関節リウマチ、統合失調症、強皮症、シェーグレン症候群、スティッフパーソン症候群、全身性硬化症、側頭動脈炎、潰瘍性大腸炎、血管炎、白斑、ウェゲナー肉芽腫症。
【請求項９】
疾患が以下からなる群から選択される、請求項７に記載の化合物：関節リウマチ、乾癬性関節炎、変形性関節症、全身性エリテマトーデス、ループス腎炎、強直性脊椎炎、骨粗鬆症、全身性硬化症、多発性硬化症、乾癬、Ｉ型糖尿病、ＩＩ型糖尿病、炎症性腸疾患（クローン病および潰瘍性大腸炎）、高免疫グロブリン血症Ｄおよび自己炎症症候群、クリオピリン関連周期性症候群、シュニッツラー症候群、全身性若年性特発性関節炎、成人発症スティル病、痛風、偽痛風、ＳＡＰＨＯ症候群、キャッスルマン病、敗血症、脳卒中、アテローム性動脈硬化症、セリアック病、ＤＩＲＡ（ＩＬ−１受容体アンタゴニスト欠損症）、アルツハイマー病、パーキンソン病、癌。
【請求項１０】
疾患が、関節リウマチ、ループス腎炎、全身性エリテマトーデスから選択される、請求項6に記載の化合物。
【請求項１１】
ＩＲＡＫの過剰発現に関連する疾患の予防および／または処置のための、請求項１に記載の式（Ｉ）で表される化合物。
【請求項１２】
次の個別のパックからなるキット：
（ａ）式（Ｉ）の化合物、および／またはその薬学的に使用可能な誘導体、溶媒和物、塩、水和物および立体異性体、ならびに全ての比率でのそれらの混合物の、有効量、および
（ｂ）さらなる医薬活性成分の有効量。
【請求項１３】
請求項１〜５のいずれか一項に記載の式（Ｉ）で表される化合物、および／またはその薬学的に使用可能な誘導体、溶媒和物、塩および立体異性体、ならびに全ての比率でのそれらの混合物、の少なくとも１種を含む医薬組成物。
【請求項１４】
炎症性疾患または免疫疾患の処置に使用される少なくとも１種のさらなる医薬を追加して含む、請求項１３に記載の医薬組成物。
【請求項１５】
少なくとも１種のさらなる免疫調節剤を追加して含む、請求項１４に記載の医薬組成物。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
式Ｉの化合物
【化１】
2016508506.tif 000001
I
（式中、
Ｒ1は、５〜１２個の環員原子を有する単環式または二環式基からなる群から選択され、これらの環員原子のうち４〜１１個の環員は、Ｃ原子であり、１〜３個の環員は、ＮおよびＮＲNから選択されるヘテロ原子であり、または
１もしくは２個の環員は、ＮおよびＮＲNから選択されるヘテロ原子であり、１個の環員は、ＯおよびＳから選択され、または
１個の環員は、Ｎであり、２個の環員は、独立に、ＯおよびＳから選択され、ただし、Ｏ−Ｏ、Ｓ−ＳもしくはＳ−Ｏ結合は形成されず、
式Ｉの−ＣＨ2−基に付着している環員原子は、Ｎ原子であり、
環員であるＮ原子に付着している１個のＣＨ2環員は、−Ｃ（＝Ｏ）−基によって置き換えられていてもよく、
単環式または二環式基は、飽和または部分的に不飽和であり、ただし、二環式基において、式Ｉの−ＣＨ2−基に付着している環は、芳香族であってはならず、
二環式基は、縮合、架橋またはスピロ環系であってもよく、
これらの基は、いずれも、１〜３個のＲ2基で独立に置換されていてもよく、
Ｒ2は、Ｆ、Ｃｌ、Ｂｒ、Ｉ、Ｃ1-4−アルキル、ＮＣ−、ＨＯ−Ｃ1-4−アルキル、ＨＯ−、Ｃ1-4−アルキル−Ｏ−、Ｃ1-4−アルキル−Ｏ−Ｃ1-4−アルキル、Ｃ1-4−アルキル−Ｓ−、Ｃ1-4−アルキル−Ｓ（＝Ｏ）−、Ｃ1-4−アルキル−Ｓ（＝Ｏ）2−、Ｃ3-6−シクロアルキル−、およびＣ3-6−シクロアルキル−Ｏ−からなる群から選択され、アルキルおよびシクロアルキル基またはサブ部分は、いずれも１〜３個のＦ原子で置換されていてもよく、
ＲNは、Ｈ、Ｃ1-4−アルキル−、Ｃ1-4−アルキル−Ｃ（Ｏ）−、およびＣ1-4−アルキル−Ｏ−Ｃ（Ｏ）−からなる群から選択され、
先に言及した定義のいずれにおいても、別段指定されない限り、アルキル基またはサブ基は、いずれも、直鎖または分岐であってもよい）
またはその塩。
【請求項２】
Ｒ1が、５〜１０個の環員原子を有する単環式または二環式基からなる群から選択され、これらの環員原子のうち４〜９個の環員は、Ｃ原子であり、１〜３個の環員は、ＮおよびＮＲNから選択されるヘテロ原子であり、または
１もしくは２個の環員は、ＮおよびＮＲNから選択されるヘテロ原子であり、１個の環員は、ＯもしくはＳであり、式Ｉの−ＣＨ2−基に付着している環員原子は、Ｎ原子であり、
環員であるＮ原子に付着している１個のＣＨ2環員は、−Ｃ（＝Ｏ）−基によって置き換えられていてもよく、
単環式または二環式基は、飽和または部分的に不飽和であり、ただし、二環式基において、式Ｉの−ＣＨ2−基に付着している環は、芳香族であってはならず、
二環式基は、縮合、架橋またはスピロ環系であってもよく、
これらの基は、いずれかも、１、２または３個のＲ2基で独立に置換されていてもよい、
請求項１に記載の化合物またはその塩。
【請求項３】
Ｒ1が、
【化２】
2016508506.tif 000002
からなる群から選択され、
式中、Ｘは、ＮＲN、Ｏ、またはＳを示し、
いずれの基においても、環員であるＮ原子に隣接している１個の環員であるＣＨ2基は、Ｃ（＝Ｏ）基によって置き換えられていてもよく、
いずれの基も、Ｒ2から独立に選択される１〜３個の基で置換されていてもよい、
請求項１に記載の化合物またはその塩。
【請求項４】
Ｒ2が、Ｆ、Ｃｌ、Ｃ1-3−アルキル、Ｆ3Ｃ−、ＮＣ−、ＨＯ−Ｃ1-3−アルキル、Ｈ3Ｃ−Ｏ−Ｃ1-3−アルキル、ＨＯ−、Ｃ1-3−アルキル−Ｏ、Ｆ2ＨＣ−Ｏ−、Ｆ3Ｃ−Ｏ−、Ｈ3Ｃ−Ｓ（＝Ｏ）2−、Ｃ3-6−シクロアルキル−、およびＣ3-6−シクロアルキル−Ｏ−からなる群から選択される、請求項１から３に記載の化合物またはその塩。
【請求項５】
Ｒ1が、
【化３】
2016508506.tif 000003
からなる群から選択され、
式中、Ｘは、ＮＲN、Ｏ、またはＳを示し、
いずれの基においても、環員であるＮ原子に隣接している１個の環員であるＣＨ2基は、Ｃ（＝Ｏ）基によって置き換えられていてもよく、
いずれの基も、Ｒ2から独立に選択される１〜３個の基で置換されていてもよく、
Ｒ2が、Ｆ、Ｃｌ、Ｃ1-3−アルキル、ＮＣ−、ＨＯ−Ｃ1-3−アルキル、Ｃ1-3−アルキル−Ｏ−Ｃ1-3−アルキル、ＨＯ−、Ｃ1-3−アルキル−Ｏ、Ｈ3Ｃ−Ｓ（＝Ｏ）−、Ｈ3Ｃ−Ｓ（＝Ｏ）2−、Ｃ3-6−シクロアルキル−、およびＣ3-6−シクロアルキル−Ｏ−からなる群から選択され、アルキルおよびシクロアルキル基またはサブ部分は、いずれも、１〜３個のＦ原子で置換されていてもよく、
ＲNが、Ｈ、Ｃ1-4−アルキル−、Ｃ1-4−アルキル−Ｃ（Ｏ）−およびＣ1-4−アルキル−Ｏ−Ｃ（Ｏ）−からなる群から選択される、
請求項１に記載の化合物またはその塩。
【請求項６】
請求項１から５までのいずれか１項に記載の化合物の薬学的に許容される塩。
【請求項７】
請求項１から５までのいずれか１項に記載の１つもしくは複数の化合物、または１つもしくは複数の薬学的に許容されるその塩を含む、医薬組成物。
【請求項８】
代謝性疾患、又はその疾患に関連する状態の予防および／または治療に使用するための、請求項１から５までの１項に記載の化合物または薬学的に許容されるその塩を含有する医薬組成物。
【請求項９】
前記代謝性疾患が糖尿病であり、
前記疾患に関連する状態がインスリン抵抗性、肥満、心血管疾患又は脂質異常症である、請求項８に記載の医薬組成物。
【請求項１０】
前記代謝性疾患が２型真性糖尿病である、請求項８に記載の医薬組成物。
【請求項１１】
請求項１から５までのいずれか１項に記載の１つもしくは複数の化合物、または１つもしくは複数の薬学的に許容されるその塩、および１つまたは複数の追加の治療剤を含む、医薬組成物。
【請求項１２】
請求項１から５までのいずれかに記載の１つの化合物または薬学的に許容されるその塩、ならびに抗糖尿病剤、体重過多および／または肥満を治療するための薬剤、ならびに高血圧、心不全および／またはアテローム性動脈硬化症を治療するための薬剤からなる群から選択される１つの追加の治療剤を含む、請求項１１に記載の医薬組成物。
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
高ガラクトシル化されていることを特徴とする、抗ＴＮＦ−α抗体。
【請求項２】
高フコシル化されている、請求項１記載の抗体。
【請求項３】
モノガラクトシル化Ｎ−グリカンおよび／または二ガラクトシル化Ｎ−グリカンを含む、請求項１または２記載の抗体。
【請求項４】
重鎖が配列番号１を含み、かつ軽鎖が配列番号２を含む、請求項１〜３いずれか１項記載の抗体。
【請求項５】
前記抗体がアダリムマブである、請求項１〜４いずれか１項記載の抗体。
【請求項６】
非ヒト哺乳動物の乳房上皮細胞において産生されたものである、請求項１〜５いずれか１項記載の抗体。
【請求項７】
トランスジェニック非ヒト哺乳動物において産生されたものである、請求項１〜６いずれか１項記載の抗体。
【請求項８】
前記非ヒト哺乳動物が、ヤギ、ヒツジ、バイソン、ラクダ、ウシ、ブタ、ウサギ、バッファロー、ウマ、ラット、マウスまたはラマである、請求項６または７記載の抗体。
【請求項９】
前記非ヒト哺乳動物がヤギである、請求項８記載の抗体。
【請求項１０】
請求項１〜９いずれか１項記載の抗体を含む組成物。
【請求項１１】
抗体の集団を含む組成物であって、
前記抗体が抗ＴＮＦ−α抗体であり、および
前記集団中の前記抗体のガラクトシル化のレベルが少なくとも６０％である、組成物。
【請求項１２】
前記集団中の前記抗体のフコシル化のレベルが少なくとも５０％である、請求項１１記載の組成物。
【請求項１３】
前記集団中の前記抗体のフコシル化のレベルに対する前記集団中の前記抗体のガラクトシル化のレベルの比が、１．０から１．４の間である、請求項１１または１２記載の組成物。
【請求項１４】
前記集団中の前記抗体の少なくとも３５％が二ガラクトシル化Ｎ−グリカンを含み、かつ前記集団中の前記抗体の少なくとも２５％がモノガラクトシル化Ｎ−グリカンを含む、請求項１１〜１３いずれか１項記載の組成物。
【請求項１５】
前記抗体が、非ヒト哺乳動物の乳房上皮細胞において産生されたものであり、前記抗体の集団が、乳腺上皮細胞において産生されたものではない抗体の集団と比較して、増加したレベルの補体依存性細胞傷害（ＣＤＣ）活性を有する、請求項１１〜１４いずれか１項記載の組成物。
【請求項１６】
前記抗体が、非ヒト哺乳動物の乳房上皮細胞において産生されたものであり、前記抗体の集団が、乳腺上皮細胞において産生されたものではない抗体の集団と比較して、増加したレベルの抗体依存性細胞傷害（ＡＤＣＣ）活性を有する、請求項１１〜１５いずれか１項記載の組成物。
【請求項１７】
抗体の集団を作製する方法であって、
抗体の集団が産生されるように非ヒト哺乳動物の乳腺上皮細胞において抗体の集団を発現させる工程を含み、
前記抗体が抗ＴＮＦ−α抗体であり、
前記集団中の抗体のガラクトシル化のレベルが少なくとも６０％である、方法。
【請求項１８】
請求項１〜９いずれか１項記載の抗体または請求項１１〜１６いずれか１項記載の組成物の抗体の集団を産生する、乳腺上皮細胞。
【請求項１９】
請求項１８記載の乳腺上皮細胞を含む、トランスジェニック非ヒト哺乳動物。
【請求項２０】
炎症性疾患または自己免疫疾患を有する対象に投与される、請求項１０〜１６いずれか１項記載の組成物。
【請求項２１】
抗体の集団を含む組成物であって、
前記抗体が、抗ＴＮＦ−α抗体であり、および
前記抗体の少なくとも３０％が少なくとも１つのオリゴマンノースを含む、組成物。
【請求項２２】
前記抗体が、高マンノースグリコシル化パターンを示す、請求項２１記載の組成物。
【請求項２３】
前記抗体が乳汁由来であり、該乳汁由来抗体の少なくとも１つの鎖が、オリゴマンノースを含みかつフコシル化されていない、請求項２２記載の組成物。
【請求項２４】
前記乳汁由来抗体の主要な糖鎖がフコシル化されていない、請求項２３記載の組成物。
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
シラン変性ポリマー、接着剤組成物の重量に基づいて０．１重量％〜１５重量％の酸官能性ワックス、および接着剤組成物の重量に基づいて０．０５重量％〜８重量％の塩基官能性ワックスを含むシラン反応性ホットメルト接着剤組成物。
【請求項２】
接着剤組成物の重量に基づいて０．１重量％〜２重量％の塩基官能性ワックスを含む、請求項１に記載のシラン反応性ホットメルト接着剤組成物。
【請求項３】
酸官能性ワックスの塩基官能性ワックスに対する比（ＲＡ：Ｂ）が、１：８０〜３００：１の範囲である、請求項１に記載のシラン反応性ホットメルト接着剤組成物。
【請求項４】
アミノシラン接着促進剤をさらに含む、請求項１に記載のシラン反応性ホットメルト接着剤組成物。
【請求項５】
アミノシラン接着促進剤をさらに含み、酸官能性ワックスの酸官能基とアミノシランのアミノ官能基とのモル比（Ｒ）が１．２以下である、請求項１に記載のシラン反応性ホットメルト接着剤組成物。
【請求項６】
イソシアネート官能基を含まない、請求項１に記載のシラン反応性ホットメルト接着剤組成物。
【請求項７】
ロジンエステル、水素化炭化水素、芳香族粘着付与剤またはこれらの混合物から選択される粘着付与剤；アクリルポリマー；および触媒のうちの１種または複数をさらに含む、請求項１に記載のシラン反応性ホットメルト接着剤組成物。
【請求項８】
シラン変性ポリマーが、それぞれ独立して以下式を有する複数の末端シリル基を含み、シラン変性ポリマーのシリル基が末端官能基化されている、請求項１に記載のシラン反応性ホットメルト接着剤組成物。
Ａ−Ｓｉ（ＣｘＨ２ｘ＋１）ｎ（ＯＣｙＨ２ｙ＋１）３−ｎ
（式中、
Ａはポリマー主鎖への結合であり；
ｘは１〜１２であり；
ｙは１〜１２であり；
ｎは０、１または２である。）
【請求項９】
シラン変性ポリマーが、ポリウレタン、ポリエーテル、ポリエステル、ポリアクリレートおよびポリオレフィンから成る群より選択される主鎖構造を有する、請求項１に記載のシラン反応性ホットメルト接着剤組成物。
【請求項１０】
シラン変性ポリマーが以下式を有する、請求項１に記載のシラン反応性ホットメルト接着剤組成物。
Ｒ−［Ａ−Ｓｉ（ＣｘＨ２ｘ＋１）ｎ（ＯＣｙＨ２ｙ＋１）３−ｎ］ｚ
（式中、
Ｒは、ケイ素原子を含まないシラン変性ポリマーの有機主鎖であり、
Ａはシラン基をポリマー主鎖Ｒに連結する結合であり、
ｎ＝０、１または２であり；
ｘおよびｙは、独立して１〜１２の数であり；
ｚは、少なくとも１である。）
【請求項１１】
シラン変性ポリマーが、それぞれ独立して以下式を有する複数のテレケリックシリル基を含む、請求項１に記載のシラン反応性ホットメルト接着剤組成物。
Ａ−Ｓｉ（ＣｘＨ２ｘ＋１）ｎ（ＯＣｙＨ２ｙ＋１）３−ｎ
（式中、
Ａはポリマー主鎖への結合であり；
ｘは１〜１２であり；
ｙは１〜１２であり；
ｎは０、１または２である。）
【請求項１２】
水および溶剤を含まない、請求項１に記載のシラン反応性ホットメルト接着剤組成物。
【請求項１３】
シラン反応性ホットメルト接着剤組成物を塗布する方法であって、
室温で固体形態の請求項１に記載のシラン反応性ホットメルト接着剤組成物を準備するステップと；
使用時に、シラン反応性ホットメルト接着剤組成物を溶融状態に加熱するステップと；
溶融したシラン反応性ホットメルト接着剤組成物を第１の基材に塗布するステップと；
第２の基材を、第１の基材に塗布された溶融した接着剤組成物と接触させるステップと；
塗布された溶融した接着剤組成物を固体状態に冷却するステップと；
冷却した接着剤組成物を不可逆的に硬化させるのに十分な条件に、冷却した接着剤組成物をさらして、第１の基材と第２の基材との間に接着を形成するステップと
を含む方法。
【請求項１４】
溶融したシラン反応性ホットメルト接着剤組成物を塗布するステップが、スプレー塗布、押出塗工、およびロール塗工から選択される、請求項１３に記載の方法。
【請求項１５】
請求項１に記載のシラン反応性ホットメルト接着剤組成物の硬化反応物を含む製造物品。